(57)【要約】【課題】羽根の機械的強度の低下を招くことのない羽根車、およびこの羽根車を用いて紙葉類を安定して積み重ねて収納することが可能で、かつ、積み重ねられた紙葉類を安定して繰り出すことが可能な紙葉類処理装置を提供する。【解決手段】搬送路を介して搬送されてきた紙葉類を取り込んで収納するとともに必要に応じて積み重ねた紙葉類を搬送路に繰り出す繰出し手段を有する収納庫を備えた紙葉類処理装置の前記収納庫に取り込まれた紙葉類を叩いて次に取り込まれる紙葉類の収納待機空間を形成する羽根車２０であって、羽根車２０の羽根２２を、径外方向に進出した進出位置と進出位置から退避した退避位置との間を移動可能な可動式の羽根として形成し、羽根２２が紙葉類取り込み時の回転方向後方側に倒れ込むのを規制するストッパ２３を備え、紙葉類の取り込み時には羽根２２が進出位置に進出し、紙葉類の繰り出し時には羽根２２を退避位置に退避させて繰り出される紙葉類の搬送に悪影響を及ぼすのを防止する。【選択図】図１
2017134640.tif 000002
【特許請求の範囲】
【請求項１】
、搬送路を介して搬送されてきた紙葉類を取り込んで収納するとともに必要に応じて積み重ねた紙葉類を搬送路に繰り出す繰出し手段を有する収納庫を備えた紙葉類処理装置の前記収納庫に取り込まれた紙葉類を叩いて次に取り込まれる紙葉類の収納待機空間を形成する羽根車であって、前記羽根車の羽根は径外方向に進出した進出位置と進出位置から退避した退避位置との間を移動可能な可動式の羽根として形成され、前記羽根が紙葉類の取り込み時の回転方向後方側に倒れ込むのを規制するとともに紙葉類の繰り出し時の回転方向後方側に倒れ込んで退避することを許容する規制手段を備えてなることを特徴とする羽根車。
【請求項２】
請求項１に記載の羽根車において、羽根車は、正逆転する回転軸に固定されたボスと、このボスに基端部が回転可能に軸支された羽根と、前記羽根の近傍に位置して羽根の可動を規制する規制手段としてのストッパとからなることを特徴とする羽根車。
【請求項３】
搬送路を介して搬送されてきた紙葉類を取り込んで収納するとともに必要に応じて積み重ねた紙葉類を搬送路に繰り出す繰出し手段を有する収納庫を備えた紙葉類処理装置であって、前記収納庫に取り込まれた紙葉類を叩いて次に取り込まれる紙葉類の収納空間を形成する羽根車は、請求項１または２に記載の羽根車であることを特徴とする紙葉類処理装置。
【発明の詳細な説明】
【技術分野】
【０００１】
この発明は、紙幣等の紙葉類を積み重ねて収納し、必要に応じて積み重ねられた紙葉類を繰り出す紙葉類処理装置、およびこの紙葉類処理装置に紙葉類を安定して収納するために用いられる羽根車に関する。
【背景技術】
【０００２】
この種の紙葉類処理装置として、例えば硬貨処理装置と一体となった釣銭機としてスーパーマーケットなどに設置された紙幣処理装置が知られている。この紙幣処理装置は、入金された紙幣を自動的に内部に取り込んで収納庫に積み重ねて収納するとともに、上位装置（釣銭機）からの指令に応じてその収納庫から紙幣を繰り出す（出金）するように構成されている。
【０００３】
図５は、前記釣銭機に用いられる紙幣処理装置１の概略構成を示す。この紙幣処理装置１は、入金口１ａから入金された紙幣を搬送する複数の搬送ローラ２Ａを有する搬送路２と、搬送路２に沿って搬送される紙幣を金種別に積み重ねて収納する金種別の収納庫３，４を有している。収納庫３は、釣銭に使用する千円札を収納する収納庫である。収納庫４は、他の金種の紙幣を一括して収納する収納庫である。また、搬送路２に沿って収納庫３，４に収納された紙幣の金種と枚数を確認するための精査庫５が設けられている。前記搬送路２には、入金された紙幣の金種を判別する鑑別部６が配置され、また、紙幣の搬送方向を切り換える切換ゲート７が配置されている。なお、Ｓａ〜Ｓｅは搬送路２上の紙幣の通過を検知するセンサ、Ｓ１，Ｓ２は搬送路２と各収納庫３，４との間の通路上の紙幣の通過を検知するセンサである。
【０００４】
このような構成の紙幣処理装置１は、センサＳａにより投入口１に入金された紙幣を検知すると搬送ローラ２Ａを駆動して当該紙幣を取り込み、鑑別部６によって正偽および金種の判別を行なったうえで「正」と判別された紙幣をその金種に応じた収納庫３，４に収納し、「偽」と判別された紙幣を出金口１ｂに返却する。上位装置（釣銭機）からの出金指令が与えられると、収納庫３，４から必要な枚数の紙幣を繰り出して出金口１ｂに出金する。この出金途中においても鑑別部６によって真偽の判別を行い、「偽」と判別された紙幣は精査庫５に収納したうえで再度収納庫３から紙幣を繰り出す。
【０００５】
図６は収納庫３の構成および動作を示す概略図である。収納庫３は、収納庫筐体３０内で円錐バネ３１により付勢された底板３２と、左右に往復動自在であって、紙幣Ｂの長手方向両縁に当接する一対の腕部の間の中央部が中抜き開口として形成されたプッシャー板３３と、プッシャー板３３の中抜き開口の中央部に位置して紙幣Ｂの中央部に当接する態様で収納庫筐体３０内に固定された固定板３４とを有している。収納庫筐体３０の紙幣入口３０ａの近傍には分離ローラ８と阻止ローラ９とが対向配置され、収納庫筐体３０内の固定板３４には、その周縁の一部が収納待機空間３５に突出する態様で繰出しローラ１０が固定されている。また、阻止ローラ９の回転軸（不図示）と同軸上に配設された羽根車軸１１１には円周上に分散して複数の羽根１１０を有する羽根車１１が固着されている。複数の羽根１１０は、羽根車１１の径外方向に進出した進出位置に固定されている。
【０００６】
かかる構成の収納庫３は、待機状態でプッシャー板３３が、図６の（ａ）に示す位置の待機位置に移動して収納待機空間３５を形成している。かかる状態で入金口１ａに入金された紙幣Ｂ（千円の正札）をセンサＳａが検知すると搬送路２の搬送ローラ２Ａを駆動して搬送する。搬送路２を介して収納庫３に搬送されてきた紙幣ＢがセンサＳ１にて検知されると分離ローラ８と阻止ローラ９とがそれぞれ逆方向に回転するように同期駆動される。図６の（ａ）の場合、分離ローラ８が時計回りの方向に回転し、阻止ローラ９が反時計回りの方向に回転して紙幣Ｂを、図６の（ｂ）に示すように、収納庫３の収納待機空間３５に取り込む。この場合、羽根車１１も反時計回りの方向に回転しており、羽根１１０が収納待機空間３５に向けて搬送される紙幣Ｂに当接すると紙幣Ｂを撫でるように撓んで紙幣Ｂの取り込みを補助する。そして、紙幣Ｂが収納待機空間３５に取り込まれると羽根車１１の羽根１１０は、図６の（ｃ）に示すように、紙幣Ｂの後端（図６では上端）を叩いてプッシャー板３３側に押し付けて次に収納される紙幣Ｂの収納待機空間３５を形成する。
【０００７】
紙幣処理装置１への紙幣Ｂの入金が終了すると、プッシャー板３３が固定板３４に向けて移動を開始するとともにプッシャー板３３の中抜き開口を通る態様の固定板３４を越えて移動（図６の場合には左方向への往動）する。プッシャー板３３の往動により収納待機空間３５に一時保留された紙幣Ｂもプッシャー板３３に押圧されて固定板３４に向けて移動する。プッシャー板３３の往動途中において固定板３４に当接した紙幣Ｂは、その長手方向の中央部が前記固定板３４とプッシャー板３３の移動に伴って円錐ばね３１により付勢された底板３２と間に前記円錐ばね３１の圧力を受けて挟持される一方、引き続くプッシャー板３３の往動により長手方向の両縁が湾曲してプッシャー板３３を通過すると平らな状態に復元する。そして、プッシャー板３３が待機位置への復動を開始すると、その復動途中において固定板３４と底板３２に挟持された紙幣Ｂの長手方向の両縁にプッシャー板３３が当接してプッシャー板３３と底板３２とにより紙幣Ｂを挟持して待機位置に復帰する。これにより、収納待機空間３５を確保したうえで入金された紙幣Ｂを積み重ねて収納する。
【０００８】
前記収納庫３からの出金の際には、プッシャー板３３が固定板３４の近傍まで往動して積み重ねられた紙幣Ｂのうちの最上位の紙幣Ｂを円錐バネ３１の付勢力により繰出しローラ１０に当接させたうえで繰出しローラ１０を回転（図６の場合には反時計回りの方向）させる。繰出しローラ１０により繰り出された紙幣Ｂは、繰出しローラ１０の回転と同時に同期駆動される分離ローラ８と阻止ローラ９（取り込み時とは逆方向に回転）との間を通過する際、阻止ローラ９が一方向クラッチによって一方向（図６の場合には時計回りの方向）のみに回転するように構成されて停止していることにより最上位の紙幣Ｂに重なって繰出された最上位から２番目の紙幣Ｂの通過が阻止される。このようにして、繰出しローラ１０により繰り出された最上位の紙幣Ｂのみが搬送路２（図５）に向けて繰り出されて出金口２ｂに出金される。
【０００９】
ここで、収納庫３からの出金の際、羽根車軸１１１に固定された羽根車１１は時計回りの方向に回転し、羽根車１１の羽根１１０が繰出しローラ１０により繰り出される紙幣Ｂの搬送の妨げとならないように構成されている。
【００１０】
ところで、羽根車１１の羽根１１０の長さは、紙幣Ｂを収納庫３内に収納する際に収納庫３に取り込まれた紙幣を叩いて所定方向に押し込んで次に入金される紙幣の収納待機空間を形成するために径外方向に進出するように比較的長い寸法に定められており、収納庫筐体３０の紙幣入口３０ａ近傍の紙幣の搬送通路（収納庫３に取り込む紙幣Ｂが通過するとともに収納庫３から繰り出される紙幣Ｂが通過する搬送通路）上に突出するように構成されているのが一般的である。このため、繰出しローラ１０により繰り出される紙幣Ｂに羽根１１０が衝突することは避けられず、紙幣Ｂにダメージを与えてしまう。また、羽根車１１の羽根１１０が搬送通路に進出するタイミングと繰出しローラ１０により繰り出される紙幣Ｂが搬送通路を通過するタイミングによっては紙幣Ｂの先端に折れを生じたり、紙幣Ｂの搬送姿勢を乱してしまうおそれがあり、当該紙幣Ｂを出金口１ｂに向けて搬送する搬送路２の途上で紙幣の詰まりが起きてしまうという不具合を惹起する。
【００１１】
かかる不具合を解決するものとして、特許文献１で代表されるように、羽根の根元側を薄くして弾力性を弱くしたもの、特許文献２で代表されるように、羽根車の円周上の所定位置にのみ羽根を設け、出金時には搬送面側に羽根の無い箇所を位置させて紙幣の搬送を妨げないもの、特許文献３で代表されるように、羽根車の回転時の遠心力により羽根が伸縮する態様で羽根を折り畳み可能に形成し、紙幣の収納時には羽根が伸びる一方、出金時には羽根が畳まれて搬送路に突出しないようにしたものなどが知られている。
【先行技術文献】
【特許文献】
【００１２】
【特許文献１】特開２０１２−２５２４８７号公報
【特許文献２】特開２０１０−１７３７５９号公報
【特許文献３】特開２００８−１０５８５９号公報
【発明の概要】
【発明が解決しようとする課題】
【００１３】
前述した特許文献１〜３に開示された発明においては、出金時の不具合を解消するようにした点で優れている。しかしながら、特許文献１においては繰り出される紙幣へのダメージを低減できるものの羽根車の羽根が紙幣に衝突することは避けられず、また、羽根の機械的強度が低下して羽根車の寿命が短くなるという課題を有する。また、特許文献２においては羽根車の回転角度を検出するセンサを追加装備せねばならないとともに羽根の無い箇所が存在するので、紙幣を収納庫に取り込んで収納する際には紙幣が自由に動き得る、すなわち、羽根で紙幣を所定方向に押し付けることができないことから紙幣を安定して積み重ねて収納することができなくなるおそれがあるという課題を有する。また、特許文献３においては、羽根を伸縮させねばならないことから機械的強度が低下して羽根車の寿命が短くなるという課題を有する。
【００１４】
本発明は上記の点に鑑みなされたものであり、その目的は前記課題を解決し、羽根の機械的強度の低下を招くことのない羽根車、およびこの羽根車を用いて紙葉類を安定して積み重ねて収納することが可能で、かつ、積み重ねられた紙葉類を安定して繰り出すことが可能な紙葉類処理装置を提供することにある。
【課題を解決するための手段】
【００１５】
上記目的を達成するために請求項１にかかる発明は、搬送路を介して搬送されてきた紙葉類を取り込んで収納するとともに必要に応じて積み重ねた紙葉類を搬送路に繰り出す繰出し手段を有する収納庫を備えた紙葉類処理装置の前記収納庫に取り込まれた紙葉類を叩いて次に取り込まれる紙葉類の収納待機空間を形成する羽根車であって、前記羽根車の羽根は径外方向に進出した進出位置と進出位置から退避した退避位置との間を移動可能な可動式の羽根として形成され、前記羽根が紙葉類の取り込み時の回転方向後方側に倒れ込むのを規制するとともに紙葉類の繰り出し時の回転方向後方側に倒れ込んで退避することを許容する規制手段を備えてなることを特徴とする。
【００１６】
また、請求項２に係る発明は、請求項１に記載の羽根車において、羽根車は、正逆転する回転軸に固定されたボスと、このボスに基端部が回転可能に軸支された羽根と、前記羽根の近傍に位置して羽根の可動を規制する規制手段としてのストッパとからなることを特徴とする。
【００１７】
また、請求項３に係る発明は、搬送路を介して搬送されてきた紙葉類を取り込んで収納するとともに必要に応じて積み重ねた紙葉類を搬送路に繰り出す繰出し手段を有する収納庫を備えた紙葉類処理装置であって、前記収納庫に取り込まれた紙葉類を叩いて次に取り込まれる紙葉類の収納空間を形成する羽根車は、請求項１または２に記載の羽根車であることを特徴とする。
【発明の効果】
【００１８】
本発明によれば、搬送路を介して搬送されてきた紙葉類を取り込んで収納するとともに必要に応じて積み重ねた紙葉類を搬送路に繰り出す繰出し手段を有する収納庫を備えた紙葉類処理装置の前記収納庫に取り込まれた紙葉類を叩いて次に取り込まれる紙葉類の収納待機空間を形成する羽根車であって、前記羽根車の羽根は径外方向に進出した進出位置と進出位置から退避した退避位置との間を移動可能な可動式の羽根として形成され、前記羽根が紙葉類の取り込み時の回転方向後方側に倒れ込むのを規制するとともに紙葉類の繰り出し時の回転方向後方側に倒れ込んで退避することを許容する規制手段を備えてなることにより、搬送路を搬送されてきた紙葉類の取り込み時には羽根車の可動式の羽根が遠心力により放射状に伸びて径外方向に進出した進出位置に規制された状態で安定して紙葉類を叩いて所定方向に押し込む一方、紙葉類を繰り出す時には進出位置から退避する退避位置に倒れ込んで繰り出される紙葉類に衝突することがないので、羽根車の機械的強度の低下を招くことなく紙葉類を安定して積み重ねて収納することができるとともに、積み重ねられた紙葉類を安定して繰り出すことができるという効果を奏する。
【図面の簡単な説明】
【００１９】
【図１】本発明の実施の形態に係る羽根車の斜視図である。
【図２】図１の羽根車の分解斜視図である。
【図３】本発明の実施に係る羽根車の動作を示し、（ａ）は紙葉類取り込み時の羽根車の動作説明図、（ｂ）は繰り出し時の羽根車の動作説明図である。
【図４】本発明の羽根車の変形例を示す概略図である。
【図５】本発明の実施対象の紙幣処理装置（紙葉類処理装置）の概略構成図である。
【図６】図５の収納庫の構成および動作を示し、（ａ）は待機時の概略図、（ｂ）は搬送路から搬送されてきた紙幣（紙葉類）の取り込み途中の概略図、（ｃ）は搬送路から搬送されてきた紙幣（紙葉類）の取り込み終了直前の概略図である。
【発明を実施するための形態】
【００２０】
以下、本発明の実施の形態に係る羽根車を図面に基づいて詳細に説明する。図１は、本発明の実施の形態に係る羽根車を示し、図２は図１の羽根車の分解斜視図である。なお、紙幣処理装置（紙葉類処理装置）および収納庫の構成は図５、図６に示したものと同一であるので、ここでは重複する説明は省略するが、図６の繰出しローラ１０が請求項１，３の繰出し手段である。
【００２１】
図１，図２に示すように、本実施の形態に係る羽根車２０は、羽根車軸１１１に固定されたボス２１、このボス２１に可動に軸支された羽根２２、ボス２１に設けられるとともに羽根２２の可動範囲を定めるストッパ２３を主要構成としてなり、この実施の形態では羽根２２の脱落を防止するためのカバー２４を備えている。
【００２２】
ボス２１は、羽根車軸１１１に固着されるとともに羽根車軸１１１とともに正逆転するものである。ボス２１の面には等間隔に軸孔２１１が穿孔され、各軸孔２１１の近傍にはボス２１の面から突出したストッパ２３が設けられている。
【００２３】
羽根２２は、回転中心となる円柱状の基端部２２１と、この基端部２２１の円周面から延在する短冊状の翼片２２２とからなる。この羽根２２は、硬質の合成樹脂からなる基端部２２１に軟質の合成樹脂からなる翼片２２２を一体に形成した合成樹脂製になる。基端部２２１の径は、ボス２１に穿孔された軸孔２１１（図２参照）の径よりも小さく定められており、基端部２２１が軸孔２１１に遊嵌されるように構成されている。また、基端部２２１の翼片２２２からの長さは、基端部２２１の先端がボス２１の軸孔２１１の底部に当接した際に翼片２２２がボス２１の面に当接することがないように定められている。ボス２１の軸孔２１１に基端部２２１が遊嵌された羽根２２は、羽根車軸１１１が回転することにより翼片２２２が遠心力により基端部２２１を中心として放射状に伸びて径外方向に進出する進出位置とこの進出位置から退避する退避位置との間を移動可能なように構成されている。
【００２４】
ストッパ２３は、羽根車２０の羽根２２の可動範囲を定めるものであって、請求項１の規制手段を構成する。このストッパ２３は、羽根車２０の回転により端部２２１を中心に放射状に伸びて径外方向に進出した羽根２２を、羽根車２０の回転方向に応じて進出位置にから倒れ込むのを規制、或いは倒れ込みを許容するものであり、具体的には羽根車２０が紙葉類を取り込み時の回転方向に回転する際に進出位置に進出した羽根２２（翼片２２２）が紙葉類を取り込み時の回転方向後方側に倒れ込むのを規制する一方、羽根車２０が紙葉類の繰り出し時の回転方向に回転する際に進出位置に進出した羽根２２（翼片２２２）が紙葉類の繰り出し時の回転方向後方に倒れ込んで進出位置から退避するのを許容するものである。このストッパ２３は、ボス２１に一体に形成してもよく、また、ボス２１とは別個に形成された部材をボス２１に穿孔した孔に嵌合させてもよいものである。
【００２５】
カバー２４は、可動式に形成された羽根２２の脱落を防止するものであり、羽根２２の基端部２２１の他方を保持する態様で羽根車軸１１１に固着されている。
【００２６】
次に、かかる構成の羽根車２０の動作について図３を用いて説明する。図３の（ａ）は、紙葉類を取り込み時の羽根車２０の状態を示し、図３の（ｂ）は紙葉類の繰り出し時の羽根車２０の状態を示し、図３ではカバー２４を省略している。なお、羽根車２０が回転していない待機状態にあっては、可動式の羽根２２の姿勢は、自重によって垂下するなど角度位置によって様々な姿勢にあるものである。
【００２７】
図３に（ａ）に示すように、搬送路を搬送されてきた紙葉類を収納庫３に収納する際、羽根車２０は羽根車軸１１１を介して紙葉類の取り込み時の回転方向（図示の場合には反時計回りの方向）に回転する。羽根車２０が回転すると複数の羽根２２は遠心力の作用により翼片２２２が基端部２２１を中心に放射状に伸びて径外方向に進出した進出位置に向けて可動する。径外方向の進出位置に進出した翼片２２２は、羽根車２２の回転により回転方向後方側に倒れ込もうとするが、翼片２２２がストッパ２３に当接することによって回転方向後方側への倒れ込みが規制されて略放射状に伸びた進出位置に維持される。このように、放射状に伸びて進出位置に規制された翼片２２２（羽根２２）は、図６に示した羽根車１１の羽根１１１と同様に、収納庫３に収納された紙幣（紙葉類）の後端を叩いて、図６に示したプッシャー板３３側に押し付けて次に入金される紙幣（紙葉類）のための収納待機空間３５を形成する。したがって、可動式の羽根２２によっても紙葉類を安定して収納することができる。
【００２８】
前記収納庫３に収納された紙葉類を繰り出す場合、図３の（ｂ）に示すように、羽根車２０は羽根車軸１１１を介して紙葉類の繰り出し時の回転方向（図示の場合には時計回りの方向）に回転する。この場合、ストッパ２３は、羽根２２が羽根車２０の回転方向後方側に倒れ込むのを許容している。このため、羽根車２０の羽根２２は遠心力の作用により翼片２２２が基端部２２１を中心に放射状に伸びて径外方向に進出することなく羽根車２２回転方向後方側に倒れ込んで進出位置から退避した退避位置に可動するので、繰り出される紙葉類に羽根２２が当接することがない。羽根車２０の回転方向後方側へ倒れ込んだ羽根２２は、当該羽根２２の近傍のストッパ２３に対して回転方向に一つだけ後方側のストッパ２３に翼片２２２が当接して必要以上に倒れ込むのが防止されるように構成されている。羽根２２が倒れ込んでストッパ２３に当接した位置が羽根２２の退避位置に相当する。このように、進出位置から退避した退避位置に移動する可動式の羽根２２によって紙葉類を安定して繰り出すことができるとともに羽根２２を薄くしたり折り畳んだりすることがないのでその機械的強度の低下を招くことがないものである。
【００２９】
図４は、図１乃至図３に示した実施の形態の羽根車の変形例を示す。この図４に示す変形例が図１乃至図３の実施の形態と相違する点は、羽根２２を進出位置および退避位置に向けて強制的に可動させる突起２４を追加装備した点であり、その他の構成は同一であるので同一の符号を付してその説明は省略する。
【００３０】
この変形例の突起２４は、羽根車２０における退避位置に移動した羽根２２（翼片２２２）の先端が羽根車２０の回転により描く円の軌跡（一点鎖線２５で示す）の内側に位置し、羽根２２と交差するように羽根車２０の側方から突出する態様で収納庫筐体３０（図６参照）などに固着されている。したがって、羽根２２が退避位置に位置した状態で羽根車２０が回転した場合にも羽根２２が突起２４に当接するものである。
【００３１】
かかる構成の変形例において、羽根車２０が紙葉類の取り込み時の回転方向（図示の場合には反時計回りの方向）に回転すると、羽根２２が次々と突起２４に衝突する。突起２４に衝突した羽根２２は、径外方向の進出位置に向けて可動するとともにストッパ２３により紙葉類の取り込み時の回転方向後方側への倒れ込みが規制されると軟質の合成樹脂からなる翼片２２２が湾曲して突起２４位置を通過した後に元の状態に復元して進出位置に留まる。このように、進出位置と退避位置との間に位置する羽根２２は突起２４に次々に衝突して強制的に進出位置に進出させられる。
【００３２】
一方、羽根車２０が紙葉類の繰り出し時の回転方向（図示の場合には時計回りの方向）に回転した場合にも羽根２２は次々と突起２４に衝突する。この場合、ストッパ２３は、羽根２２が羽根車２０の回転方向後方側への倒れ込むのを許容している。したがって、進出位置と退避位置との間に位置する羽根２２は突起２４に当接して強制的に退避位置に向けて可動させられる。そして、退避位置まで可動した羽根２２は、翼片２２２が湾曲して突起２４の位置を通過した後に元の状態に復元して退避位置に留まる。このように、進出位置と退避位置との間に位置する羽根２２は突起２４に次々に衝突して強制的に退避位置に退避させられる。
【００３３】
前述したように、この実施の形態に係る羽根車によれば、搬送路２を介して搬送されてきた紙葉類Ｂを取り込んで収納するとともに必要に応じて積み重ねた紙葉類Ｂを搬送路２に繰り出す繰出し手段（繰出しローラ１０）を有する収納庫３を備えた紙葉類処理装置の前記収納庫３に取り込まれた紙葉類Ｂを叩いて次に取り込まれる紙葉類Ｂの収納待機空間３４を形成する羽根車２０であって、前記羽根車２０の羽根２２は径外方向に進出した進出位置と進出位置から退避した退避位置との間を移動可能な可動式の羽根として形成され、前記羽根２２が紙葉類Ｂの取り込み時の回転方向後方側に倒れ込むのを規制するとともに紙葉類Ｂの繰り出し時の回転方向後方側に倒れ込んで退避することを許容する規制手段（ストッパ２３）を備えてなることにより、搬送路２を搬送されてきた紙葉類Ｂの取り込み時には羽根車２０の可動式の羽根２２が遠心力により放射状に伸びて径外方向に進出した進出位置に規制された状態で安定して紙葉類Ｂを叩いて所定方向に押し込む一方、紙葉類Ｂを繰り出す時には進出位置から退避する退避位置に倒れ込んで繰り出される紙葉類Ｂに衝突することがないので、羽根車２０の機械的強度の低下を招くことなく紙葉類Ｂを安定して積み重ねて収納することができるとともに、積み重ねられた紙葉類Ｂを安定して繰り出すことができるという効果を奏する。
【００３４】
なお、上記実施の形態では、収納庫３が円錐バネ３１により付勢された底板３２と、紙幣Ｂの長手方向両縁に当接する一対の腕部の間の中央部が中抜き開口として形成された左右に往復動自在なプッシャー板３３とを備えるものについて説明したが、搬送されてきた紙葉類を積み重ねて収納し、必要に応じて繰出し手段により積み重ねられた紙葉類の最上位のものから繰り出す機能を備えているものであればよいものであり、実施の形態の構成に限定されるものではない。
【符号の説明】
【００３５】
１…紙幣処理装置、２…搬送路、３…収納庫、１０…繰出しローラ（繰出し手段）、２０…羽根車、２１…ボス、２２…羽根、２３…ストッパ（規制手段）、１１１…羽根車軸、２２２…翼片。
【図１】
2017134640.tif 000003
【図２】
2017134640.tif 000004
【図３】
2017134640.tif 000005
【図４】
2017134640.tif 000006
【図５】
2017134640.tif 000007
【図６】
2017134640.tif 000008